(57)【要約】【課題】  メニューやＥＰＧ画面サイズを最適に調整することができる映像表示装置及び文字画面表示方法を提供する。【解決手段】  デジタル放送受信機１００は、入力されたディスプレイサイズ及び視聴距離に基づいて文字画面サイズ又は文字画面に表示される文字のサイズを最適化するメニュー画面サイズ最適化設定処理を実行する。【選択図】  図３
2005295338.tif 000002
【特許請求の範囲】
【請求項１】
映像を表示するディスプレイに文字画面を表示可能な映像表示装置であって、
前記ディスプレイまでの視聴距離を入力する視聴距離入力手段と、
入力された前記視聴距離に基づいて前記文字画面のサイズを設定するサイズ設定手段と
を備えることを特徴とする映像表示装置。
【請求項２】
さらに、前記ディスプレイの表示サイズを入力するディスプレイサイズ入力手段を備え、
前記サイズ設定手段は、入力された前記ディスプレイの表示サイズ及び前記視聴距離に基づいて前記文字画面のサイズを設定することを特徴とする請求項１記載の映像表示装置。
【請求項３】
前記サイズ設定手段は、前記文字を見る際の読視野を基に前記文字画面のサイズを設定することを特徴とする請求項１又は２に記載の映像表示装置。
【請求項４】
前記サイズ設定手段は、前記文字画面の文字を見る際の視点移動が少なくなるように前記文字画面のサイズを設定することを特徴とする請求項１乃至３のいずれか一項に記載の映像表示装置。
【請求項５】
前記サイズ設定手段は、入力された前記視聴距離に基づいて前記文字画面に表示される文字のサイズを設定することを特徴とする請求項１乃至４のいずれか一項に記載の映像表示装置。
【請求項６】
前記文字画面は、機能を文字で表示するメニュー画面、ＥＰＧ表示画面、又は字幕表示画面であることを特徴とする請求項１乃至５のいずれか一項に記載の映像表示装置。
【請求項７】
映像表示装置の文字画面表示方法において、
ディスプレイの表示サイズを入力するステップと、
前記ディスプレイまでの視聴距離を入力するステップと、
入力されたディスプレイの表示サイズ及び視聴距離に基づいて前記文字画面のサイズ又は前記文字画面に表示される文字のサイズを設定するステップと
を有することを特徴とする文字画面表示方法。
【発明の詳細な説明】
【技術分野】
【０００１】
本発明は、映像を表示するディスプレイに文字画面を表示可能な映像表示装置及び文字画面表示方法に関する。
【背景技術】
【０００２】
近年、テレビジョン放送もアナログ放送からデジタル放送に急速に移行している。このデジタル放送では、アナログ放送に比べて多チャンネル化が図られると同時に、受信機での番組選択に必要な情報（番組情報）をサービス情報として番組と共に伝送している。ユーザは、この番組情報を受信機の表示画面に表示し、放送番組の確認、視聴予約、録画予約等に利用することができる。デジタル・テレビジョン放送では、ＥＰＧ（Electrical Program Guide：電子番組ガイド）情報が番組と同時に伝送され、ユーザヘの便宜が図られている。
【０００３】
また、テレビジョン受信機の映像や音声を調整するためにメニュー画面をＯＳＤ（On Screen Display）表示し、ユーザはＯＳＤ表示されたメニュー画面により機能を設定するものがある。
【０００４】
見やすい映像は、視聴環境である周囲の明るさや受信機と視聴者の視聴距離によって大きく左右される。特許文献２には、受信機周囲の明るさと視聴距離に応じて適正な映像状態を設定するテレビジョン受信機が開示されている。
【特許文献１】特開平４−２６５２６８号公報
【発明の開示】
【発明が解決しようとする課題】
【０００５】
しかしながら、特許文献１記載のテレビジョン受信機は、受像状態の調整を行うものであり、メニュー画面の表示の大きさを調整するものではない。また、一部のテレビジョン受信機では、メニューの大きさを、例えば大小に２段階に切り替える機能が搭載されているが、このような切替え機能で最適なメニューサイズに調整できるとは限らない。
【０００６】
例えば、狭い部屋で大画面テレビを見る場合、表示が大きければ見やすいだろうとの観点から大画面に合わせてメニューやＥＰＧを大きく表示すると、却ってメニューやＥＰＧの文字が見難くなってしまうことがある。これは、ＴＶ番組を視聴する際の視野角に比べて、メニューやＥＰＧの文字を読むための視野角は狭いためであり、ユーザの感覚に頼った調整では必ずしもメニュー画面サイズは最適に調整されないという問題点があった。
【０００７】
本発明は、このような課題に鑑みてなされたものであって、メニューやＥＰＧ画面サイズを最適に調整することができる映像表示装置及び文字画面表示方法を提供することを目的としている。
【課題を解決するための手段】
【０００８】
本発明の映像表示装置は、映像を表示するディスプレイに文字画面を表示可能な映像表示装置であって、前記ディスプレイまでの視聴距離を入力する視聴距離入力手段と、入力された前記視聴距離に基づいて前記文字画面のサイズを設定するサイズ設定手段とを備えることを特徴としている。
【０００９】
さらに、前記ディスプレイの表示サイズを入力するディスプレイサイズ入力手段を備え、前記サイズ設定手段は、入力された前記ディスプレイの表示サイズ及び前記視聴距離に基づいて前記文字画面のサイズを設定することがより好ましい。
【００１０】
前記サイズ設定手段は、前記文字を見る際の読視野を基に前記文字画面のサイズを設定することがより好ましい。
【００１１】
前記サイズ設定手段は、前記文字画面の文字を見る際の視点移動が少なくなるように前記文字画面のサイズを設定することがより好ましい。
【００１２】
前記サイズ設定手段は、入力された前記視聴距離に基づいて前記文字画面に表示される文字のサイズを設定するものであってもよい。
【００１３】
より好ましい具体的な態様として、前記文字画面は、機能を文字で表示するメニュー画面、ＥＰＧ表示画面、又は字幕表示画面である。
【００１４】
本発明の文字画面表示方法は、映像表示装置の文字画面表示方法において、ディスプレイの表示サイズを入力するステップと、前記ディスプレイまでの視聴距離を入力するステップと、入力されたディスプレイの表示サイズ及び視聴距離に基づいて前記文字画面のサイズ又は前記文字画面に表示される文字のサイズを設定するステップとを有することを特徴としている。
【発明の効果】
【００１５】
以上、詳述したように、本発明によれば、メニュー画面やＥＰＧ画面の文字のサイズ又はメニュー画面やＥＰＧ画面のサイズを最適化して、メニュー画面やＥＰＧ画面内の文字を読むための視点移動を減らすことができ、ユーザの眼の負担を軽減することができる。
【発明を実施するための最良の形態】
【００１６】
以下、添付図面を参照しながら本発明の好適な映像表示装置及び文字画面表示方法の実施の形態について詳細に説明する。
【００１７】
図１は、本発明の実施の形態の映像表示装置の基本構成を示すブロック図である。本実施の形態に係る映像表示装置は、地上波、ＣＳ／ＢＳデジタル衛星放送を受信して再生するデジタル放送受信機に適用した例である。
【００１８】
図１において、デジタル放送受信機１００（映像表示装置）は、地上波系アンテナ１、ＢＳチューナを含むチューナ等からなるチューナ部２、復調回路３、誤り訂正部４、映像信号，音声信号，データ信号に分けるトランスポートデコーダ５、ＭＰＥＧ（Moving Picture Experts Group）デコーダ６、ＯＳＤ表示部７、ビデオエンコーダ８、音声ＤＡＣ９、ＣＰＵ１０（サイズ設定手段）、制御プログラムや固定データ等を記憶するＲＯＭ１１、ＣＰＵ１０の実行・作業用記憶領域であるＲＡＭ１２、電気的に書換可能な不揮発性メモリであるＥＥＰＲＯＭ，電源バックアップされたＲＡＭ等からなる不揮発性補助記憶装置１３、赤外線通信等を行うための入出力インターフェース（Ｉ／Ｆ）１４、ユーザ操作入力を受付ける入力Ｉ／Ｆ１５、ＬＡＮポート１６、及びモデムポート１７を備えて構成される。モデムポート１７は、インターネット又は専用回線からなるインターネット網１８に接続される。
【００１９】
上記チューナ部２、復調回路３及び誤り訂正部４は、フロントエンド部１１０を構成し、上記トランスポートデコーダ５は、トランスポート部１２０を構成する。また、上記ＭＰＥＧデコーダ６、ＯＳＤ表示部７、ビデオエンコーダ８及び音声ＤＡＣ９は、ＭＰＥＧデコード部１３０を構成し、各部はＣＰＵ１０によって制御される。
【００２０】
ＯＳＤ表示部７は、チャンネル、音量、設定情報、時刻などの情報及びメニューや電子番組表（ＥＰＧに基づく番組表）を表示部（図示略）の画面上に表示する。デジタルテレビジョン受信機等の映像装置では、受信状況、時刻、音量などの情報を画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素が入力画像などの原画像の上に重畳される。
【００２１】
ＣＰＵ１０は、デジタル放送受信機１００全体の制御を行うとともに、入力されたディスプレイサイズ及び視聴距離に基づいてメニュー画面サイズを最適化するメニュー画面サイズ最適化設定処理を実行する。
【００２２】
ＲＯＭ１１は、制御プログラムや固定データ等を記憶するメモリであり、ここでは視聴者が最も見やすいとされる最適な文字画面の文字のサイズの設定値を記憶する文字画面サイズ設定テーブル２０（図２参照）を備える。この文字画面サイズ設定テーブル２０は、不揮発性補助記憶装置１３に設ける態様でもよい。また、デジタル放送受信機１００のディスプレイサイズ情報をデフォルト値としてＲＯＭ１１に格納しておき、図３に示すメニュー画面サイズ最適化設定処理を実行するとき、ユーザ入力することなくＲＯＭ１１からディスプレイサイズデフォルト値を読み出してＣＰＵ１０に渡す構成としてもよい。この場合のＲＯＭ１１は、ディスプレイサイズ入力手段としての機能を有する。
【００２３】
不揮発性補助記憶装置１３は、電源ＯＦＦ以降、次回電源ＯＮまで保持しなければならない作業データ、補助プログラムなどが格納される。この不揮発性補助記憶装置１３は、本体から取り外しが可能なカード型外部拡張記憶媒体であってもよい。
【００２４】
入出力Ｉ／Ｆ１４は、ＩｒＤＡ（Infrared Data Association）による赤外線データ通信やＵＳＢ（Universal Serial Bus）などを使用した有線通信により外部周辺機器と通信を行う。
【００２５】
入力Ｉ／Ｆ１５は、十字キー，テンキーなどを備えるキー入力部やリモコン装置などの操作入力部（図示略）などが接続され、ユーザからのキー操作情報を受付ける。
【００２６】
上記入出力Ｉ／Ｆ１４及び入力Ｉ／Ｆ１５は、図示しないキー入力部やリモコン装置と共に、ユーザがテレビジョン受信機から視聴位置までの視聴距離を入力する視聴距離入力手段としての機能及び、テレビジョン受信機のディスプレイサイズを入力するディスプレイサイズ入力手段としての機能を備える。
【００２７】
ＬＡＮポート１６は、ＡＶネットワークシステムを構成する他のＡＶ機器とローカル通信を行うとともに、モデムポート１７への接続を行う。
【００２８】
モデムポート１７は、前述したようにインターネット又は専用回線からなるインターネット網１８に接続される。
【００２９】
インターネット網１８は、移動体通信網、公衆電話網、ＬＡＮやインターネットなどから構成するネットワークであり、有線系又は無線系などネットワークの種類とプロトコルの種類は特に問わない。
【００３０】
図２は、ＲＯＭ１１又は不揮発性補助記憶装置１３に格納されるメニュー画面サイズ設定テーブル２０を示す図である。
【００３１】
図２に示すように、文字画面サイズ設定テーブル２０は、ディスプレイの表示サイズと視聴距離をパラメータとして、視聴者が最も見やすいとされる最適な文字のサイズの設定値をテーブルデータとして格納する。本例では、文字画面内の文字のサイズは、文字画面のサイズと相関（正相関）して変更されるものとする。すなわち、文字画面のサイズを大きくすると、文字画面内の文字のサイズもそれに従って大きくなり、文字画面のサイズを小さくすると、文字画面内の文字のサイズもそれに従って小さくなる。したがって、以下の説明において文字画面のサイズ変更は、文字画面内の文字のサイズ変更と同様の意味を持つ。
【００３２】
上記最適な文字画面の文字のサイズとは、ディスプレイの表示サイズが大きくなれば文字画面のサイズも大きくするという単純な設定値ではなく、メニュー画面やＥＰＧ画面の文字を読むための視野角（読視野）は、ＴＶ番組視聴の際の視野角に比べて狭いことを考慮して、あらかじめ実験等により最適な設定値を求めておくものである。
【００３３】
以下、上述のように構成されたデジタル放送受信機１００の文字画面サイズ最適化設定動作を説明する。
【００３４】
ここでは、文字画面サイズ最適化設定として、デジタル放送受信機１００の受像調整機能を文字で表すメニュー画面に適用した例を示す。
【００３５】
また、上述したようにメニュー画面のサイズを変更すると、該メニュー画面内に表示される文字のサイズも対応して変更される。
【００３６】
図３は、メニュー画面サイズ最適化設定動作を示すフローチャートであり、ＣＰＵ１０により実行される。
【００３７】
メニュー画面の中から「メニュー画面サイズ最適化設定」が選択されると、本フローがスタートする（ステップＳ１）。
【００３８】
ステップＳ２でメニュー画面サイズ最適化設定画面がＯＳＤ表示され、ユーザに「ディスプレイサイズ」と「視聴者のディスプレイから離れている距離」について入力を促す。リモコン装置等によるユーザのキー入力操作を待って、適正な入力が行われると、ステップＳ３で入力された「ディスプレイサイズ」と「視聴者のディスプレイから離れている距離」の２要素から、図２に示す文字画面サイズ設定テーブル２０を参照して最適なメニュー画面のサイズを演算し、最適化されたメニュー画面サイズでメニュー画面を表示して本フローを終了する。最適化されたメニュー画面サイズは、不揮発性補助記憶装置１３に保存され、次回からはこのメニュー画面サイズでメニューが表示される。
【００３９】
上記メニュー画面サイズ最適化設定処理により、最適化されたメニュー画面サイズでメニュー画面が表示される。以下、代表的な例として３つ説明する。
【００４０】
図４乃至図６は、最適化されたメニュー画面サイズによるメニュー画面表示例を示す図である。
【００４１】
図４の〔例１〕は、巨大画面サイズにもかかわらずユーザが間近で見ているような場合である。例えば、１００インチサイズの画面を２メートル離れて見ている場合である。この場合は、図４に示すように、大画面ディスプレイの表示画面４０に対して小さめのメニュー画面４１サイズで表示する。図４の破線には、本最適化処理を行わない場合のメニュー画面４１ａサイズを仮想的に示している。メニュー画面４１ａサイズが大画面ディスプレイサイズに合わせて大きく表示されるのでメニュー画面４１ａ内の文字４２ａも大きく表示され、文字４２ａを読むための視点移動は大きい。
【００４２】
これに対して、本例ではメニュー画面４１のサイズが小さめに表示されることでメニュー画面４１内の文字４２も小さめに表示される。小さめのメニュー画面４１の文字４２は、視点移動が少なくて読むことができ、ユーザの眼の負担を軽減することができる。
【００４３】
図５の〔例２〕は、最適画面サイズを最適距離で見ているような場合（例えば、３０インチサイズの画面を１．５メートル離れて見ている場合）である。この場合は、図５に示すように、ディスプレイの表示画面５０に対して通常サイズのメニュー画面５１サイズで表示する。この通常サイズは、最適画面サイズと最適距離との関係で種々の組合わせがあるが、メニューやＥＰＧの文字を読むための視野角（読視野）を考慮して、あらかじめ実験等により求められた最適な設定値が文字画面サイズ設定テーブル２０に格納されている。
【００４４】
図６の〔例３〕は、小型画面サイズにもかかわらずユーザが遠くから見ているような場合である。例えば、２０インチサイズの画面を５メートル離れて見ている場合である。この場合は、遠くからでもメニュー画面の文字がよく見えるように、図６に示すようにディスプレイの表示画面６０に対して大きめのメニュー画面６１サイズにするとともに、メニュー画面６１の文字６２のサイズも大きめに表示する。
【００４５】
小型画面サイズにもかかわらずユーザが遠くから見ている図６のような場合には、メニュー画面６１を大きめのサイズで表示しただけではディスプレイの表示画面６０自体が小さいので、メニュー画面６１の文字６２も小さく読みにくい。そこで本例では、「ディスプレイサイズ」と「視聴者のディスプレイから離れている距離」の２要素から、図２に示す文字画面サイズ設定テーブル２０を参照してメニュー画面６１に表示される最適な文字６２のサイズを演算し、最適な文字６２のサイズ（ここでは、大きな文字サイズ）で表示する。メニュー画面６１の文字６２のサイズが大きめに表示されることで、遠くからでも文字がよく見えるようになる。メニュー画面６１内に表示できない分は矢印６３を表示して、スクロールにより回避することが好ましい。または、専用画面に移行する態様でもよい。
【００４６】
以上のように、本実施の形態のデジタル放送受信機１００は、入力されたディスプレイサイズ及び視聴距離に基づいてメニュー画面サイズ又はメニュー画面に表示される文字のサイズを最適化するメニュー画面サイズ最適化設定処理を実行するので、ユーザにとって最も見やすいと想定される最適なサイズの文字でメニュー画面を表示することができる。図３のフローでは、メニュー画面サイズの最適化例について説明したが、ＥＰＧ表示画面や字幕表示画面の文字のサイズについても同様のサイズ最適化設定処理が可能である。これにより、最適化されたサイズの文字でメニュー画面、ＥＰＧ画面、字幕表示画面が表示されるので、メニュー画面やＥＰＧ画面等の文字は読みやすい視界の中に収まることになり、メニュー画面やＥＰＧ画面の文字を読む際、視点移動が少なくてすみユーザの眼の負担を軽減することができる。
【００４７】
なお、本実施の形態に係る映像表示装置は、テレビジョン受信機は勿論のこと、テレビジョン受信機以外の電子機器、例えば映像を表示するディスプレイに文字画面を表示可能なパーソナルコンピュータや携帯電話の表示装置に適用してもよい。
【００４８】
また、図４乃至図６のメニュー画面表示例は代表例を挙げたものであり、様々なメニュー画面はどのような表示形態でも構わない。また、テレビジョン受信機の操作は、本体の直接操作のほかリモコンにより行うものが一般的である。
【００４９】
また、本実施の形態ではテレビジョン受信機及び文字画面表示方法という名称を用いたが、これは説明の便宜上であり、メニュー画面表示装置、文字画面表示方法等であってもよいことは勿論である。
【００５０】
さらに、上記デジタル放送受信機を構成する各回路部、例えば記憶装置等の種類、数及び接続方法などは前述した実施の形態に限られない。
【００５１】
以上説明したデジタル放送受信機は、このデジタル放送受信機を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【図面の簡単な説明】
【００５２】
【図１】本発明の実施の形態のテレビジョン受信機の基本構成を示すブロック図である。
【図２】本実施の形態のテレビジョン受信機のメニュー画面サイズ設定テーブルを示す図である。
【図３】本実施の形態のテレビジョン受信機のメニュー画面サイズ最適化設定動作を示すフローチャートである。
【図４】本実施の形態のテレビジョン受信機の最適化されたメニュー画面サイズによるメニュー画面表示例を示す図である。
【図５】本実施の形態のテレビジョン受信機の最適化されたメニュー画面サイズによるメニュー画面表示例を示す図である。
【図６】本実施の形態のテレビジョン受信機の最適化されたメニュー画面サイズによるメニュー画面表示例を示す図である。
【符号の説明】
【００５３】
１  地上波系アンテナ
２  チューナ部
３  復調回路
４  誤り訂正部
５  トランスポートデコーダ
６  ＭＰＥＧデコーダ
７  ＯＳＤ表示部
８  ビデオデコーダ
９  音声ＤＡＣ
１０  ＣＰＵ（サイズ設定手段）
１１  ＲＯＭ（ディスプレイサイズ入力手段の一部）
１２  ＲＡＭ
１３  不揮発性補助記憶装置
１４  入出力Ｉ／Ｆ（ディスプレイサイズ入力手段，視聴距離入力手段）
１５  入力Ｉ／Ｆ（ディスプレイサイズ入力手段，視聴距離入力手段）
１６  ＬＡＮポート
１７  モデムポート
１８  インターネット網
２０  文字画面サイズ設定テーブル
４０，５０，６０  ディスプレイの表示画面
４１，５１，６２  メニュー画面
４１ａ  本最適化処理を行わない場合の仮想的なメニュー画面
４２，６２  文字
４２ａ  仮想的なメニュー画面に表示される文字
１００  デジタル放送受信機（映像表示装置）
１１０  フロントエンド部
１２０  トランスポート部
１３０  ＭＰＥＧデコード部
【図１】
2005295338.tif 000003
【図２】
2005295338.tif 000004
【図３】
2005295338.tif 000005
【図４】
2005295338.tif 000006
【図５】
2005295338.tif 000007
【図６】
2005295338.tif 000008